(57)【要約】【課題】本発明の課題は、収容率の高いとう道または各種トンネルにおける円滑なケーブル布設作業と空間を有効利用した収容が行えるケーブル布設収容機能付き受金物ハンガーを提供することにある。【解決手段】本発明は、とう道および各種トンネル内に設置されているケーブル受金物１８に、布設収容ローラ１２付きの受金物ハンガー１１と止め金具１４を装着し、布設収容ローラ１２によってケーブルの布設をおこない、布設収容ローラ１２上のケーブル布設収容空間２４にケーブルを高密度に設置することを特徴とする。【選択図】　　図１
2004080963.tif 000002
【特許請求の範囲】
【請求項１】
筋金物に取り付けられたケーブル受金物の下部空間に、ケーブル布設収容空間を設けるようにケーブルが接して回転される複数の案内ローラを前記ケーブル受金物に取り付けたことを特徴とするケーブル布設収容機能付き受金物ハンガー。
【請求項２】
請求項１記載のケーブル布設収容機能付き受金物ハンガーにおいて、
ケーブル受金物の筋金物側に添架され、複数の案内ローラを備えた受金物ハンガーと、
前記受金物ハンガーに取り付けられ、前記ケーブル受金物の先端部が挿入される開口部および前記ケーブル受金物に圧接するための治具を有する止め金具と
を具備することを特徴とするケーブル布設収容機能付き受金物ハンガー。
【発明の詳細な説明】
【０００１】
【発明の属する技術分野】
本発明は、例えばケーブル収容率の高いとう道、立坑、または各種トンネル等の内部のケーブル受金物に設置されるケーブル布設収容機能付き受金物ハンガーに関するものである。
【０００２】
【従来の技術】
図５は従来のケーブル布設設備を示す構成図である。すなわち、とう道内のケーブル受金物１にケーブル２を布設する際、ケーブル布設のための金車３をケーブル受金物１の通路側の先端に取付け、前記金車３間にケーブル２をわたした後、ローラ４の位置からケーブル受金物１の上にケーブル２を移動するようにして布設作業をおこなっていた。
収容率の高いとう道または各種トンネルにおいて、布設をおこないたい棚位置のケーブル受金物上にケーブルを設置するスペースがない場合、やむを得ず空きのある他の棚位置のケーブル受金物上に布設収容していた。そのため、ケーブル布設後においてケーブル流れが複雑になりとう道の分岐点等で棚位置の段崩しを発生させることから、とう道内空間の有効的な収容の妨げになっていた。
【０００３】
【発明が解決しようとする課題】
金車を利用した従来のケーブル布設においては、新設ケーブル毎の布設前における金車の取付けと布設後の金車の撤去における作業性の低下、ケーブルを金車からケーブル受金物へ移動させる取扱い上の煩雑化、とう道または各種トンネル空間におけるケーブル流れの複雑化を解決することが望まれていた。
本発明は上記の事情に鑑みてなされたもので、とう道またはトンネル内空間を有効利用し得、ケーブル布設および撤去を容易にかつ確実に行うことが可能なケーブル布設収容機能付き受金物ハンガーを提供することを目的とする。
【０００４】
【課題を解決するための手段】
上記目的を達成するために本発明のケーブル布設収容機能付き受金物ハンガーは、筋金物に取り付けられたケーブル受金物の下部空間に、ケーブル布設収容空間を設けるようにケーブルが接して回転される複数の案内ローラを前記ケーブル受金物に取り付けたことを特徴とするものである。
【０００５】
また本発明は、上記ケーブル布設収容機能付き受金物ハンガーにおいて、ケーブル受金物の筋金物側に添架され、複数の案内ローラを備えた受金物ハンガーと、前記受金物ハンガーに取り付けられ、前記ケーブル受金物の先端部が挿入される開口部および前記ケーブル受金物に圧接するための治具を有する止め金具とを具備することを特徴とするものである。
本発明によれば、１条目のケーブル布設で上記ケーブル布設収容機能付き受金物ハンガー設置を完了させていれば、改めて発生する同じ棚位置における２条目以降の布設作業に関して、従来の技術と比較すると、ケーブル布設用金車の設置および撤去の作業を必要としないため、作業性の向上が図られる。また、収容率の高いとう道または各種トンネル等における任意の既設ケーブル受金物に対して容易に設置を可能とするため、布設予定のケーブル受金物上に新規ケーブルを収容する空間がなくとも、布設予定のケーブル受金物の下部空間にケーブル布設収容機能付き受金物ハンガーを使用してケーブル布設を行うことができるため、とう道等内空間の高密度利用が図られる。
【０００６】
【発明の実施の形態】
以下図面１〜４を参照して本発明の実施の形態例を詳細に説明する。図１は本発明の一実施形態例に係るケーブル布設収容機能付き受金物ハンガーをケーブル受金物に設置した側面図であり、図２は本発明の一実施形態例に係るケーブル布設収容機能付き受金物ハンガーをケーブル受金物に設置した上視図であり、図３は本発明の一実施形態例に係るケーブル布設収容機能付き受金物ハンガーをケーブル受金物に設置した状態を筋金物側からみた断面図であり、図４は本発明の一実施形態例に係るケーブル布設収容機能付き受金物ハンガーをケーブル受金物に設置した状態をケーブル受金物の先端側から見た断面図である。図中、１１は受金物ハンガー、１２は布設収容ローラ（案内ローラ）、１３は固定ナット、１４は止め金具、１５は止め金具付属ボルト、１６は止め金具ボルト固定ガイド、１７は幅止め座金、１８はケーブル受金物、１９は筋金物、２０は収容される通信ケーブル、２１は円形開口部、２２はケーブル受金物用開口部、２３はケーブル受金物底面部、２４はケーブル布設収容空間である。
すなわち、ケーブル収容率の高いとう道、立坑、または各種トンネル等の内部の筋金物１９にはケーブル受金物１８が略水平方向に取り付けられる。前記ケーブル受金物１８上には通信ケーブル２０等が布設載置されて収容される。前記ケーブル受金物１８の下部空間には受金物ハンガー１１が取り付けられる。前記受金物ハンガー１１の円柱状の軸１１１にはケーブルが接して回転される複数の布設収容ローラ１２が各々回転自在に設けられ、前記布設収容ローラ１２の両側には幅止め座金１７が軸１１１に固定して設けられる。前記軸１１１の筋金物１９側の一端には軸１１１の軸方向に対して４５度斜め上方に突出させた部片１１２の一端が取り付けられ、前記部片１１２の他端には４５度折り曲げて垂直方向に延長した部片１１３が設けられる。前記部片１１３には９０度折り曲げて水平方向に延長した部片１１４が設けられ、前記部片１１４には９０度折り曲げて垂直方向に延長した部片１１５が設けられる。前記部片１１４と部片１１５は受金物ハンガー１１をケーブル受金物１８に係留するように添架するために設けられ、前記部片１１３と部片１１２は布設収容ローラ１２をケーブル受金物１８の長手方向の真下に設置するために設けられる。前記軸１１１の先端部にはねじ切り加工が施され、この軸１１１の先端ねじ切り加工部は板状の止め金具１４下部の円形開口部２１に挿入され、前記止め金具１４は両側から２つの固定ナット１３により圧着されて立設される。前記止め金具１４の上部にはケーブル受金物１８の先端を貫通できるケーブル受金物用開口部２２が設けられ、前記ケーブル受金物用開口部２２の上部には止め金具付属ボルト１５を装着した止め金具ボルト固定ガイド１６が設けられる。前記止め金具付属ボルト１５の先端がケーブル受金物１８の底面部の上面を圧接することにより止め金具１４をケーブル受金物１８の先端部に垂直に固定することを可能とする。前記止め金具付属ボルト１５および止め金具ボルト固定ガイド１６はケーブル受金物１８に圧接するための治具を構成する。
ケーブル布設収容機能付き受金物ハンガーをケーブル受金物に設置しようとする場合、受金物ハンガー１１をケーブル受金物１８に添架し、止め金具１４に受金物ハンガー１１の軸１１１の先端部を挿入して固定ナット１３により圧接させ、ケーブル受金物用開口部２２にケーブル受金物１８の先端部を挿入して止め金具付属ボルト１５を締め上げ、ケーブル受金物底面部２３の上面に圧接させる。ケーブル布設収容機能付き受金物ハンガーを用いて通信ケーブル等を収容しようとする場合、収容対象区間のケーブル受金物１８の下部にケーブル布設収容機能付き受金物ハンガーを設置し、その後収容される通信ケーブル２０をとう道または各種トンネル等の進行方向におけるケーブル布設収容空間２４に牽引しながら、受金物ハンガー１１に装着されている複数の布設収容ローラ１２上に順次乗せていき布設を行う。布設作業に際しては、個々の布設収容ローラ１２がケーブルの移動とともに牽引による摩擦張力を低減しながら滑らかに回転し、ケーブル布設完了後はケーブル布設収容空間２４の任意の位置にケーブルを収容することを可能とする。また、ケーブル布設収容空間２４に既に布設済みのケーブルが複数存在する状況においても、ケーブル布設収容空間２４の空きスペースに新規ケーブルを前述の要領で布設設置が可能である。
このようなケーブル布設収容機能付き受金物ハンガーを利用して一度布設すれば、同じ棚位置への２条目以降のケーブル布設に対して、布設収容機能付き受金物ハンガーの設置手間がかからずケーブル布設が可能である。
【０００７】
【発明の効果】
以上に述べたように本発明によれば、収容率の高いとう道または各種トンネル等内のケーブル布設において、布設予定の棚位置ケーブル受金物上に設置スペースが無くともその下部スペースに複数のケーブル収容を可能とするために空間の高密度な有効利用が図られ、また、２条目以降同棚位置へのケーブル布設に対して布設に係わる作業が削減される。
【図面の簡単な説明】
【図１】本発明の一実施形態例に係るケーブル布設収容機能付き受金物ハンガーをケーブル受金物に設置した側面図である。
【図２】本発明の一実施形態例に係るケーブル布設収容機能付き受金物ハンガーをケーブル受金物に設置した上視図である。
【図３】本発明の一実施形態例に係るケーブル布設収容機能付き受金物ハンガーをケーブル受金物に設置した状態を筋金物側からみた断面図である。
【図４】本発明の一実施形態例に係るケーブル布設収容機能付き受金物ハンガーをケーブル受金物に設置した状態をケーブル受金物の先端側から見た断面図である。
【図５】従来のケーブル布設設備を示す構成図である。
【符号の説明】
１１　受金物ハンガー
１２　布設収容ローラ
１３　固定ナット
１４　止め金具
１５　止め金具付属ボルト
１６　止め金具ボルト固定ガイド
１７　幅止め座金
１８　ケーブル受金物
１９　筋金物
２０　収容される通信ケーブル
２１　円形開口部
２２　ケーブル受金物用開口部
２３　ケーブル受金物底面部
２４　ケーブル布設収容空間
１１１　軸
１１２　部片
１１３　部片
１１４　部片
１１５　部片
【図１】
2004080963.tif 000003
【図２】
2004080963.tif 000004
【図３】
2004080963.tif 000005
【図４】
2004080963.tif 000006
【図５】
2004080963.tif 000007